(57)【特許請求の範囲】
【請求項１】
被支持体に対して支持される支持部と、その支持部の一端部側に連結される本体と、その本体における前記支持部との反対側の端部側に連結される保持部とを備えた収容具において、
前記支持部と前記本体とを連結する基端側連結部にその支持部と本体との角度を調整する基端側角度調節手段を備えるとともに、前記本体と前記保持部とを連結する先端側連結部にその本体と保持部との角度を調整するスライド移動可能とされた先端側角度調節手段を備えることを特徴とする収容具。
【請求項２】
前記基端側連結部には、前記支持部と本体との角度を調整した状態で固定する固定手段を備えたことを特徴とする請求項１に記載の収容具。
【請求項３】
前記本体を、前記被支持体の接触面にほぼ追従するように接触させる追従手段を備えたことを特徴とする請求項１または請求項２に記載の収容具。
【請求項４】
前記保持部を、その保持部の使用時においてほぼ水平に固定する水平固定手段を備えたことを特徴とする請求項１に記載の収容具。
【請求項５】
前記水平固定手段は、前記本体の傾斜に応じて、前記先端側角度調節手段におけるその本体と保持部との角度の調整量を変更するようにしたことを特徴とする請求項４に記載の収容具。
【発明の詳細な説明】
【０００１】
【発明の属する技術分野】
本発明は、例えば車両等のシート等に装着して使用するシートバックテーブル等の収容具に関するものである。
【０００２】
【従来の技術】
この種のシートバックテーブルとしては、図１３（ｂ）に示すように、車両等における、例えばフロントシート（被支持具）の背面に装着して使用される。このシートバックテーブル１０１は、シート１０２のヘッドレスト１０３の支持軸に係合する一対のアーム部１０４ａを有する支持部１０４を備えている。その支持部１０４の一端部側には、シート１０２の背面とほぼ平行に配置される略平板状の本体１０５がその上端部において連結されている。また、その本体１０５の下端部には、略平板状のテーブル（保持部）１０６が、その本体１０５に対して回動可能に連結されている。また、そのテーブル１０６は、前記本体１０５に対して、使用時にはほぼ水平位置に、非使用時にはその本体１０５と重合する重合位置に切換配置が可能に連結されている。
【０００３】
【発明が解決しようとする課題】
ところが、前記従来構成においては、前記支持部１０４と本体１０５との角度が、所定の固定値をなすように構成されている。このため、例えば装着しようとするシート１０２の形状によっては、本体１０５の下端部と背もたれ１０２ａの背面とが干渉して、装着が困難になることがあった。このように、前記従来構成においては、被支持体であるシート１０２の形状に対する自由度が小さいという問題点があった。
【０００４】
また、逆に、シートバックテーブル１０１の本体１０５の下端部と背もたれ１０２ａの背面との間に隙間１０７が生じると、本体１０５がシート１０２に対して支持部１０４を介してのみ支持されることとなる。そして、その本体１０５の支持が不安定となり、使用状態におけるテーブル１０６が揺れやすいものとなって、テーブル１０６が使用しづらくなるという問題点があった。
【０００５】
また、前記従来構成においては、使用状態における本体１０５とテーブル１０６との角度も所定の固定値をなすように構成されている。このため、リクライニング可能なシート１０２に装着した場合には、背もたれ１０２ａの傾斜が変更されると、その変更に伴ってテーブル１０６の上面に傾斜が生じることがある。このようにテーブル１０６の上面に傾斜が生じると、そのテーブル１０６上に載置した物が不用意に転倒したり移動したりしやすくなって、テーブル１０６が使用しづらくなるという問題点があった。
【０００６】
本発明は、このような従来の技術に存在する問題点に着目してなされたものである。その目的としては、装着される被支持体の形状及び状態に対する自由度を向上するとともに、使用感を改善可能な収容具を提供することにある。
【０００７】
【課題を解決するための手段】
前記目的を達成するために、本願請求項１に記載の発明は、被支持体に対して支持される支持部と、その支持部の一端部側に連結される本体と、その本体における前記支持部との反対側の端部側に連結される保持部とを備えた収容具において、前記支持部と前記本体とを連結する基端側連結部にその支持部と本体との角度を調整する基端側角度調節手段を備えるとともに、前記本体と前記保持部とを連結する先端側連結部にその本体と保持部との角度を調整するスライド移動可能とされた先端側角度調節手段を備えることを特徴とするものである。
【０００８】
この本願請求項１に記載の発明では、基端側角度調節手段により、支持部と本体との角度を被支持体の形状に応じて調整することにより、被支持体と本体とを干渉したり隙間を生じたりすることなく接触させることができる。加えて、スライド移動可能とされた先端側角度調節手段により、本体と保持部との角度を調整することができる。このため、前記基端側角度調整手段の調整あるいは被支持体自身の傾斜の変更により、前記本体の傾斜が変更されたとしても、その変更を吸収して、本体と保持部との角度を所望の角度に維持することができる。
【０００９】
また、本願請求項２に記載の発明は、前記請求項１に記載の発明において、前記基端側連結部には、前記支持部と本体との角度を調整した状態で固定する固定手段を備えたことを特徴とするものである。
【００１０】
この本願請求項２に記載の発明では、前記請求項１に記載の発明の作用に加えて、被支持体と本体とを互いに接触した状態で固定することができて、本体がより安定に支持される。
【００１１】
また、本願請求項３に記載の発明は、前記請求項１または請求項２に記載の発明において、前記本体を、前記被支持体の接触面にほぼ追従するように接触させる追従手段を備えたことを特徴とするものである。
【００１２】
この本願請求項３に記載の発明では、前記請求項１または請求項２に記載の発明の作用に加えて、被支持体と本体との接触面積を拡大することができて、本体がさらに安定に支持される。
【００１３】
また、本願請求項４に記載の発明は、前記請求項１に記載の発明において、前記保持部を、その保持部の使用時においてほぼ水平に固定する水平固定手段を備えたことを特徴とするものである。
【００１４】
この本願請求項４に記載の発明では、前記請求項１に記載の発明の作用に加えて、使用時において、保持部がほぼ水平に保たれる。このため、その保持部に収容された物が、不用意に転倒したり移動したりしにくくすることができる。
【００１５】
また、本願請求項５に記載の発明は、前記請求項４に記載の発明において、前記水平固定手段は、前記本体の傾斜に応じて、前記先端側角度調節手段におけるその本体と保持部との角度の調整量を変更するようにしたことを特徴とするものである。
【００１６】
この本願請求項５に記載の発明では、前記請求項４に記載の発明の作用に加えて、前記基端側角度調整手段の調整あるいは被支持体自身の傾斜の変更に伴う前記本体の傾斜の変更が確実に吸収される。このため、保持部を、確実にほぼ水平に保つことができる。
【００１９】
【発明の実施の形態】
以下に、本発明の収容具を車両のフロントシート等に装着するシートバックテーブルに具体化した一実施形態について図１〜図１２及び図１３（ａ）に基づいて説明する。
【００２０】
図１、図２及び図１３（ａ）に示すように、シートバックテーブル２１は、平面略コ字状をなす支持部２２と、本体２３と、トレイ状をなす保持部としてのテーブル２４とから構成されている。
【００２１】
図１、図２、図８、図９及び図１３（ａ）に示すように、前記支持部２２は一対のアーム部３１を有し、両アーム部３１の先端の近傍には、被支持体としてのシート２７におけるヘッドレスト２８の支持軸を挿通する支持軸挿通孔３２が穿設されている。アーム部３１の裏面には、支持軸押さえ３４が押さえ固定ネジ３５により止着されている。その支持軸押さえ３４には、前記支持軸挿通孔３２に対応するようにＵ字状切欠３３が形成されている。そして、この支持軸押さえ３４の位置を調節することにより、前記ヘッドレスト２８の支持軸を、前記支持軸挿通孔３２の内周面の一部とＵ字状切欠３３の内周面の一部とで確実に挟持するようになっている。
【００２２】
また、支持部２２の基端側の両側端面には、基端側連結部の一部及び追従手段の一部を構成する略円環状の受け座３６が形成されている。この受け座３６の表面には、所定の中心角の範囲において、基端側角度調整手段の一部を構成する断面三角形状の連続ノッチ３７が形成されている。また、受け座３６の中心には、固定手段としてのタッピングネジ３８を螺着するための固定孔３９が穿設されている。
【００２３】
図１〜図７及び図１３（ａ）に示すように、前記本体２３は略平板状の主壁部４１を有し、その主壁部４１の上端及び側端から背面側に向かって上方側壁部４２ａ及び側方側壁部４２ｂがそれぞれ垂下されている。また、その主壁部４１の下端からは、その主壁部４１に対して所定の角度で背面側に延びる斜壁部４３が形成されている。
【００２４】
前記主壁部４１の表面上には平面略四角形状の方形凹部４４が形成されており、その方形凹部４４の下半部を覆うように別体のカバー４５が取着されている。この方形凹部４４とカバー４５とにより、シートバックテーブル２１の使用時において、カード等の小物を収容可能な小物入れが構成されるようになっている。
【００２５】
また、主壁部４１の表面上には、円形と四角形とを組み合わせた平面形状をなすカップホルダ収納用凹部４６が形成されている。そのカップホルダ収納用凹部４６の下端部には、別体のカップホルダ４７が回動可能に取着されている。
【００２６】
図３〜図７及び図９に示すように、前記主壁部４１の背面上には、その上方側壁部４２ａから前記支持部２２の受け座３６に対応するように、基端側連結部の一部及び追従手段の一部を構成する一対の位置決めリブ４８が延びている。その位置決めリブ４８の中央で前記支持部２２の固定孔３９と対応する位置には、前記タッピングネジ３８を挿通するとともにその頭部を係止する係止孔４９が穿設されている。また、前記側方側壁部４２ｂにおけるこの係止孔４９と対応する位置には、前記タッピングネジ３８（その頭部を含む）の挿通を許容する挿通孔５０が穿設されている。
【００２７】
また、前記位置決めリブ４８の内側面には、前記主壁部４１の背面から前記上方側壁部４２ａと平行に延びるように、基端側角度調整手段の一部を構成する断面三角形状の位置決め突条５１が形成されている。この位置決め突条５１は、前記位置決めリブ４８と前記支持部２２の受け座３６とを対応させた状態で、その受け座３６の連続ノッチ３７に係合するようになっている。
【００２８】
前記主壁部４１には、その斜壁部４３側中央において、前記方形凹部４４の下方に、前記複数（本実施形態では５個）の水平固定手段の一部を構成する係止溝５２が形成されている。これらの係止溝５２は、それぞれ主壁部４１に長手方向に所定の間隔をおいて列設されている。
【００２９】
前記斜壁部４３上には、一対の先端側連結部の一部を構成する連結脚部５３が突設されている。各連結脚部５３の先端側外側面には連結軸５４が突設されており、この連結軸５４において、前記テーブル２４が回動可能に連結されるようになっている。なお、前記連結脚部５３は、後述する調整レール５８における斜壁部４３の長手方向に沿ったスライド移動を阻害しないように形成されている。
【００３０】
図１、図２、図１０〜図１２及び図１３（ａ）に示すように、前記斜壁部４３には、その斜壁部４３の長手方向に沿って延びるように複数（本実施形態では３個）の長孔５５が形成されている。そして、斜壁部４３上には、先端側連結部の一部及び先端側角度調整手段を構成する長尺状の調整レール５８がスライド移動可能に接合されている。
【００３１】
その調整レール５８の前記斜壁部４３との対向面上には、前記長孔５５にスライド移動可能に嵌入するクリップ５９が形成されている。また、調整レール５８の前記対向面とは反対側の表面６０には、複数（本実施形態では３個）の台部６１が一体に膨出形成されている。この台部６１の一端側には、調整レール５８の表面６０とその台部６１の頂上面６２とを所定に傾斜をもって連続させる斜面６３が形成されている。つまり、この台部６１は断面台形状に形成されている。
【００３２】
また、調整レール５８の長手方向の一側面の中央からは、アングル状の操作ノブ６４が、その先端が前記本体２３の主壁部４１上の係止溝５２に対向するように延長形成されている。この操作ノブ６４の先端における前記係止溝５２との対向面上には、その係止溝５２と係合し、水平固定手段の一部を構成する係合突起６５が突設されている。そして、この係合突起６５と前記係止溝５２との係合位置を変更することにより、調整レール５８の位置、つまりその台部６１の位置が変更されるようになっている。
【００３３】
前記テーブル２４は、平板状の底板６８とその底板６８の周縁から立設された周壁６９とを備えている。その周壁６９のうちでテーブル２４の長手方向に沿う一側の奥側周壁６９ａと前記底板６８とからは、前記本体２３の連結脚部５３と対応するように、複数対（本実施形態では２対）の先端側連結部の一部を構成する連結リブ７０が突設されている。その連結リブ７０のほぼ中央には、前記連結脚部５３の外表面上の連結軸５４に嵌合する連結孔７１が穿設されている。この連結リブ７０の連結孔７１と、連結脚部５３の連結軸５４との嵌合により、テーブル２４が本体２３に対して回動可能に連結される。
【００３４】
そして、テーブル２４は、図１３（ａ）に二点鎖線で示すその底板６８が本体２３の主壁部４１に重合された状態の非使用状態と、同図において実線で示すその奥側周壁６９ａと本体２３の斜壁部４３上に接合された調整レール５８とが当接してその底板６８がほぼ水平に保持される使用状態とに切換配置されるようになっている。
【００３５】
この使用状態において、前記奥側周壁６９ａは、前記調整レール５８の台部６１及びその近傍の表面６０に当接するようになっている。その奥側周壁６９ａの端縁上には、調整レール５８のスライド移動に伴う前記台部６１のスライド移動を許容する許容凹部７２が設けられている。
【００３６】
また、前記非使用状態を保持するために、前記本体２３の上方側壁部４２ａのの中央には、係止突起５６が形成されている。そして、テーブル２４の奥側周壁６９ａと対向する手前側周壁６９ｂ上には、その係止突起５６に係合する係合凹部（図示略）が形成されている。
【００３７】
次に、以上のように構成されたシートバックテーブル２１におけるシート２７への取着方法の一例について説明する。
まず、支持部２２の押さえ固定ネジ３５を緩め、シート２７の背もたれ２７ａから取り外したヘッドレスト２８の支持軸を、支持部２２の支持軸挿通孔３２及び支持軸押さえ３４のＵ字状切欠３３内に挿通する。この状態で、ヘッドレスト２８の支持軸を前記支持軸挿通孔３２とＵ字状切欠３３との内周面で挟着して、前記押さえ固定ネジ３５を締め付け、シートバックテーブル２１をヘッドレスト２８に固定する。
【００３８】
次いで、前記タッピングネジ３８を緩め、支持部２２と本体２３とを回動自由の状態、つまり受け座３６の連続ノッチ３７と位置決めリブ４８の位置決め突条５１との係合位置を変更可能な状態とする。そして、ヘッドレスト２８をシート２７の背もたれ２７ａに取りつける。この状態で、本体２３の背面と背もたれ２７ａの背面とがほぼ沿うように、連続ノッチ３７と位置決め突条５１との係合位置を変更する。そして、前記タッピングネジ３８を締め込んで、支持部２２と本体２３との角度を固定する。これにより、前記本体２３を、背もたれ２７ａと干渉したり、背もたれ２７ａとの間に隙間を生じたりすることなく、その背もたれ２７ａの背面に追従させた状態で支持することができる。
【００３９】
次に、シートバックテーブル２１の使用方法について説明する。
テーブル２４の手前側周壁６９ｂの係合凹部と本体２３の上方側壁部４２ａの係止突起５６との係合を解除して、テーブル２４を回動させる。これにより、そのテーブル２４の奥側周壁６９ａの端縁を、本体２３の斜壁部４３上の調整レール５８に当接させる。この状態で、本体２３の傾斜に応じて、調整レール５８の操作ノブ６４を適宜移動させ、本体２３の係止溝５２と調整レール５８の係合突起突起６５との係合位置を変更する。これにより、本体２３とテーブル２４との角度を変更して、テーブル２４をその底板６８がほぼ水平となるようにする。
【００４０】
ここで、調整レール５８のスライド移動に伴うテーブル２４の角度調整動作、つまり調整レール５８の水平方向の移動をテーブル２４の回動方向の移動に変換する動作について説明する。
【００４１】
前述のように、本体２３の傾斜に応じて、調整レール５８の操作ノブ６４を適宜移動させると、調整レール５８が本体２３の斜壁部４３上を水平方向にスライド移動される。これに伴って、その調整レール５８上の台部６１もスライド移動される。これに対して、その台部６１に当接するテーブル２４は、その連結リブ７０が本体２３の連結脚部５３と互いに当接嵌合関係にあるため、前記調整レール５８のスライド移動方向に沿う方向への移動が規制されている。
【００４２】
このため、図１０〜図１２に示すように、調整レール５８のスライド移動に伴って、調整レール５８の台部６１とテーブル２４の奥側周壁６９ａの端縁との当接位置が変更される。すなわち、例えば図１０に示すように、同図において操作ノブ６４が最も右側に配置されると、調整レール５８の台部６１とテーブル２４とは図１１及び図１２に実線で示す位置関係となる。このとき、操作ノブ６４の係合突起６５は、本体２３に向かって最も右側の係止溝５２に係合した状態となる。この状態では、前記台部６１はテーブル２４の奥側周壁６９ａの許容凹部７２内に収容され、その奥側周壁６９ａの端縁は調整レール５８の表面６０に当接することになる。このため、本体２３とテーブル２４との角度が、最も大きくなる。
【００４３】
一方、図１０において操作ノブ６４が最も左側に配置されると、調整レール５８の台部６１とテーブル２４とは図１１及び図１２に二点鎖線で示す位置関係となる。このとき、操作ノブ６４の係合突起６５は、本体２３に向かって最も左側の係止溝５２に係合した状態となる。この状態では、奥側周壁６９ａの端縁が台部６１上に乗り上げ、その端縁は台部６１の頂上面６２に当接することになる。このため、前記奥側周壁６９ａが台部６１により押し下げられるように回動され、本体２３とテーブル２４との角度が最も小さくなる。
【００４４】
さらに、図１０において操作ノブ６４が前記２つの状態の中間に配置されると、調整レール５８の台部６１とテーブル２４とは図１１及び図１２に実線で示す位置関係と二点鎖線で示す位置関係との中間となる。このとき、操作ノブ６４の係合突起６５は、中間の係止溝５２に係合した状態となる。この状態では、台部６１の一部が前記許容凹部７２内に収容されるとともに、奥側周壁６９ａの端縁が台部６１上に乗り上げ、その端縁は台部６１の斜面６３の途中に当接することになる。このため、前記奥側周壁６９ａがその端縁と斜面６３との当接位置における台部６１の高さに応じて押し下げられ、本体２３とテーブル２４とが前記２つの状態の中間の角度関係をもって配置される。
【００４５】
また、前記シートバックテーブル２１を、シート２７から取り外して保管する場合には、まず本体２３とテーブル２４と重合させて係合凹部と係止突起５６とを係合させる。そして、タッピングネジ３８を緩め、前記取りつけ時と同様に、支持部２２と本体２３とを回動自由の状態として、支持部２２を本体２３の主壁部４１側に折り畳む。この状態では、前記支持部２２が、本体２３の背面側において、上方側壁部４２ａ及び側方側壁部４２ｂの内部にほぼ収容されるようになっている。
【００４６】
従って、本実施形態によれば、以下のような効果を得ることができる。
（イ）  前記シートバックテーブル２１は、シート２７に支持される支持部２２とシート２７の背もたれ２７ａの背面に接触する本体２３とが、連続ノッチ３７を有する受け座３６と位置決め突条５１を有する位置決めリブ４８との係合により、その支持部２２と本体２３との間の角度を調整可能に連結されている。
【００４７】
このため、前記連続ノッチ３７と位置決め突条５１との係合位置を変更することにより、支持部２２と本体２３との角度をシート２７の形状に応じて調整して、シート２７の背もたれ２７ａと本体２３とを干渉したり隙間を生じたりすることなく接触させることができる。従って、シートバックテーブル２１における装着相手となるシート２７の形状に対する自由度を向上することができる。また、本体２３が確実にシート２７の背もたれ２７ａの背面に接触されるため、テーブル２４における揺れの発生を抑制することができる。
【００４８】
（ロ）  前記シートバックテーブル２１は、連続ノッチ３７を有する支持部２２の受け座３６と位置決め突条５１を有する本体２３の位置決めリブ４８とが、その支持部２２と本体２３との角度を調整した状態でタッピングネジ３８により締め付け固定されている。
【００４９】
このため、前記連続ノッチ３７と位置決め突条５１との係合位置が不用意に変更されたりするおそれが少なく、シート２７の背もたれ２７ａと本体２３との接触状態が保たれる。従って、本体２３をシート２７上により安定に支持することができて、テーブル２４における揺れの発生を一層確実に抑制することができる。
【００５０】
（ハ）  前記シートバックテーブル２１は、支持部２２と本体２３との角度調整により、その本体２３がシート２７の背もたれ２７ａの背面にほぼ追従するように接触されている。
【００５１】
このため、前記背もたれ２７ａの背面と本体２３との接触面積を拡大することができて、その本体２３がさらに安定に支持される。従って、テーブル２４における揺れの発生を一層効果的に抑制することができる。
【００５２】
（ニ）  前記シートバックテーブル２１は、本体２３とテーブル２４とが、それらの間の角度を調整する機能を有する調整レール５８を介して連結されている。
【００５３】
このため、前記支持部２２と本体２３との間の角度調整、あるいはシート２７の背もたれ２７ａにおけるリクライニング動作等により、本体２３の傾斜が変更されたとしても、その変更を本体２３とテーブル２４との角度を調整することで吸収することができる。従って、テーブル２４を、常に水平を含む所望の傾斜に維持することができる。
【００５４】
（ホ）  前記シートバックテーブル２１は、本体２３上の係止溝５２と調整レール５８の係合突起６５との係合により、調整レール５８の不用意なスライド移動が抑制されるようになっている。これにより、テーブル２４を使用時においてほぼ水平な状態に固定できるようになっている。
【００５５】
このため、このシートバックテーブル２１を、そのテーブル２４上に載置した物に不用意な転倒や移動が生じにくいものとすることができる。
（ヘ）  前記シートバックテーブル２１は、シート２７から取り外して保管する場合には、支持部２２を本体２３の主壁部４１側に折り畳むことができるようになっている。そして、この状態では、その支持部２２が、本体２３の背面側において、上方側壁部４２ａ及び側方側壁部４２ｂの内部にほぼ収容されるようになっている。
【００５６】
このため、シートバックテーブル２１をコンパクトに折り畳んで保管することができる。
（変更例）
なお、前記実施形態は、以下のように変更してもよい。
【００５７】
・  前記実施形態では、支持部２２における受け座３６の連続ノッチ３７と本体２３における位置決めリブ４８の位置決め突条５１との係合により、支持部２２と本体２３との角度が段階的に調整されるようにした。これに対して、受け座３６及び位置決めリブ４８の少なくとも一方に対向する他方の部材を押圧するような構成を設けて、支持部２２と本体２３との角度が連続的に調整されるようにしてもよい。
【００５８】
このようにした場合、支持部２２と本体２３との角度をより細かく調整することができて、シートバックテーブル２１のシート２７に対する装着性をより高めることができる。
【００５９】
・  前記実施形態では、本体２３における主壁部４１上の係止溝５２と調整レール５８における操作ノブ６４の裏面上の係合突起６５との係合により、本体２３の斜壁部４３上における調整レール５８の位置が段階的に変更されるようにした。これに対して、主壁部４１上と操作ノブ６４の裏面上の少なくとも一方に、その対向面を押圧するような構成を設けて、前記斜壁部４３上における調整レール５８の位置が連続的に変更されるようにしてもよい。
【００６０】
このようにした場合、前記斜壁部４３上における調整レール５８の位置をより細かく変更することができて、本体２３とテーブル２４との角度をより細かく調整することができる。従って、使用時におけるテーブル２４の水平度を、さらに高めることができる。
【００６１】
・  前記実施形態では、支持部２２の受け座３６の一部に連続ノッチ３７を形成したが、受け座３６の全周にわたって連続ノッチ３７を形成してもよい。
・  前記実施形態では、支持部２２の受け座３６に連続ノッチ３７を形成するとともに本体２３の位置決めリブ４８に位置決め突条５１を形成したが、連続ノッチ３７を位置決めリブ４８側に形成するとともに位置決め突条５１を受け座３６側に形成してもよい。
【００６２】
・  前記実施形態では、調整レール５８の表面６０上に台部６１を一体に膨出形成したが、その表面６０上に別体の台部６１を取着してもよい。
・  前記実施形態では、本発明の収容具をシートバックテーブル２１に具体化したが、例えば缶、カップ、ボトル、パック等の保持部のみを有するドリンクホルダ、箱等を有する小物入れ、ゴミ箱等に具体化してもよい。また、支持部２２はシート２７に支持されるものに限定されず、例えばエアコンの吹き出し口グリル、ダッシュボード、ドア枠、サンバイザ、ルームミラー、コンソールボックス、テールゲート、トランクリッド等に支持されるものであってもよい。さらに、シート２７は車両用のものに限らず、例えば船舶用、航空機用、会議用、事務用、屋外用、一般家庭用等のものであってもよい。
【００６３】
これらのようにしても、前記実施形態とほぼ同様の効果が得られる。
【００６４】
【発明の効果】
以上詳述したように、本願請求項１に記載の発明によれば、装着される被支持体の形状に対する自由度を向上することができるとともに、保持部における揺れの発生を抑制することができる。加えて、スライド移動可能とされた先端側角度調節手段により、本体と保持部との角度を調整することができる。
【００６５】
また、本願請求項２に記載の発明によれば、前記請求項１に記載の発明の効果に加えて、本体をより安定に支持することができて、保持部における揺れの発生を一層確実に抑制することができる。
【００６６】
また、本願請求項３に記載の発明によれば、前記請求項１または請求項２に記載の発明の効果に加えて、本体をさらに安定に支持することができて、保持部における揺れの発生を一層効果的に抑制することができる。
【００６７】
また、本願請求項４に記載の発明によれば、前記請求項１に記載の発明の効果に加えて、保持部に収容された物の不用意な転倒や移動を生じにくくすることができる。
【００６８】
また、本願請求項５に記載の発明によれば、前記請求項４に記載の発明の効果に加えて、前記基端側角度調整手段の調整あるいは被支持体自身の傾斜の変更に伴う前記本体の傾斜の変更が確実に吸収される。このため、保持部を、確実にほぼ水平に保つことができる。
【図面の簡単な説明】
【図１】  本発明をシートバックテーブルに具体化した一実施形態を示す斜視図。
【図２】  図１のシートバックテーブルの分解斜視図。
【図３】  図１の本体を示す正面図。
【図４】  （ａ）は図３の４ａ−４ａ線断面図、（ｂ）は図３の４ｂ−４ｂ線断面図。
【図５】  図３の５−５線断面図。
【図６】  図３の６−６線断面図。
【図７】  図１の本体の部分平面図。
【図８】  図１の支持部を示す平面図。
【図９】  位置決めリブと受け部との係合状態を分解して示す斜視図。
【図１０】  図１の調整レールの操作ノブの周辺を拡大して示す斜視図。
【図１１】  調整レールの台部とテーブルの奥側周壁との当接状態を示す斜視図。
【図１２】  図１の調整レールの操作ノブの周辺における拡大断面図。
【図１３】  （ａ）は実施形態の、（ｂ）は従来のシートバックテーブルのシートに対する装着状態を示す側面図。
【符号の説明】
２１…収容具としてのシートバックテーブル、２２…支持部、２３…本体、２４…保持部としてのテーブル、２７…被支持体としてのシート、３６…基端側連結部の一部及び追従手段の一部を構成する受け座、３７…基端側角度調整手段の一部を構成する連続ノッチ、３８…固定手段としてのタッピングネジ、４８…基端側連結部の一部及び追従手段の一部を構成する位置決めリブ、５１…基端側角度調整手段の一部を構成する位置決め突条、５２…水平固定手段の一部を構成する係止溝、５３…先端側連結部の一部を構成する連結脚部、５８…先端側連結部の一部及び先端側角度調整手段を構成する調整レール、６５…水平固定手段の一部を構成する係合突起、７０…先端側連結部の一部を構成する連結リブ。
【図１】
0003661522.tif 000002
【図２】
0003661522.tif 000003
【図３】
0003661522.tif 000004
【図４】
0003661522.tif 000005
【図５】
0003661522.tif 000006
【図６】
0003661522.tif 000007
【図７】
0003661522.tif 000008
【図８】
0003661522.tif 000009
【図９】
0003661522.tif 000010
【図１０】
0003661522.tif 000011
【図１１】
0003661522.tif 000012
【図１２】
0003661522.tif 000013
【図１３】
0003661522.tif 000014